(57)【特許請求の範囲】
【請求項１】
長面の側板(1)及び短面の側板(2)を各一対交互に連設して周壁を形成し、各側板(1,2)にそれぞれフラップ(4,5)を連設し、一方の長面の側板(1)に繋がるフラップ(4)に折畳補助線(6)を入れ、周壁の対角に位置する稜線に沿って二重に折り畳んだ後、折畳補助線(6)を谷折線として四重に折り畳み、その状態をロック機構により維持する段ボール箱において、前記ロック機構として、四重の折畳時に外側となる長面のフラップ(4)に、折畳時の外端部を切り込んで、先端へかけて内側へ張り出す係合片(7)を設け、これに重なる短面のフラップ(5)に、前記係合片(7)と共に折り曲げる係合片(7)又は前記係合片(7)を折り曲げて通過させる切欠部(8)を形成し、係合片(7)の張出部(7a)を重なり合うフラップ(4,5)の側縁部に係合させるようにし、前記切欠部(8)の端縁に、係合片(7)の基部に重なる膨出部(8a)を設け、この膨出部(8a)により、係合片(7)を折り曲げが戻る方向に押圧し、係合片(7)の張出部(7a)を重なり合うフラップ(4,5)に押し付けることを特徴とする折畳ロック付き段ボール箱。
【請求項２】
長面の側板(1)及び短面の側板(2)を各一対交互に連設して周壁を形成し、各側板(1,2)にそれぞれフラップ(4,5)を連設し、一方の長面の側板(1)に繋がるフラップ(4)に折畳補助線(6)を入れ、周壁の対角に位置する稜線に沿って二重に折り畳んだ後、折畳補助線(6)を谷折線として四重に折り畳み、その状態をロック機構により維持する段ボール箱において、前記ロック機構として、四重の折畳時に外側となる長面のフラップ(4)に、折畳時の外端部を切り込んで、先端へかけて内側へ張り出す係合片(7)を設け、これに重なる短面のフラップ(5)に、前記係合片(7)と共に折り曲げる係合片(7)又は前記係合片(7)を折り曲げて通過させる切欠部(8)を形成し、係合片(7)の張出部(7a)を重なり合うフラップ(4,5)の側縁部に係合させるようにし、前記周壁のいずれの対角の稜線に沿って二重に折り畳んでも、四重に折り畳んだ状態でロックできるように、各一対の長面の側板(1)及び短面の側板(2)に繋がる上下のフラップ(4,5)に、二組のロック機構を設けたことを特徴とする折畳ロック付き段ボール箱。
【請求項３】
前記係合片(7)の張出部(7a)を、係合片(7)の内側縁を傾斜させることにより形成したことを特徴とする請求項１又は２に記載の折畳ロック付き段ボール箱。
【請求項４】
前記係合片(7)の張出部(7a)を、係合片(7)の内側縁を鉤状に屈曲させることにより形成したことを特徴とする請求項１又は２に記載の折畳ロック付き段ボール箱。
【発明の詳細な説明】
【技術分野】
【０００１】
この発明は、解体後、四重に折り畳んだ状態でロックできる折畳ロック付き段ボール箱に関するものである。
【背景技術】
【０００２】
従来、下記特許文献１には、図１５に示すように、長面の側板５１及び短面の側板５２を継代片５３を介し各一対交互に連設して周壁を形成し、各側板５１，５２にそれぞれフラップ５４，５５を連設し、一方の長面の側板５１に繋がるフラップ５４に折畳補助線５６を入れ、折畳補助線５６を谷折線として四重に折り畳んだ状態を維持するロック機構を設けた段ボール箱が記載されている。
【０００３】
このロック機構は、上側の一方のフラップ５４を先端から切り込んで設けた係合片５７と、他方のフラップ５４を先端から切り込んで設けた係合穴５８とから成る。係合片５７には、撓みを容易にするため、２本の斜め方向の折目線５９が先端へ向けて間隔が狭くなるように入れられ、係合穴５８の両側縁には扉片６０が設けられている。
【０００４】
上側の一方のフラップ５５の先端縁には、指入用の切欠部６１が設けられ、他方のフラップ５５の外角部には、係合片５７を通過させる切欠部６２が設けられている。
【０００５】
上記段ボール箱を解体して廃棄する際、図示のように四重に折り畳み、指入部６１から指を入れて、係合片５７を巻き込むように折り曲げると、係合片５７は、折目線５９に沿って撓みつつ、切欠部６２を介して扉片６０を押し開き、係合穴５８に押し込まれて、扉片６０の反発により、係合穴５８から抜け止めされ、折畳状態が確実に維持される。
【先行技術文献】
【特許文献】
【０００６】
【特許文献１】特開２００７−１６８８３５号公報
【発明の概要】
【発明が解決しようとする課題】
【０００７】
しかしながら、上記のような段ボール箱では、四重に折り畳んだ状態でロックする際、折り曲げようとする係合片５７が指入部６１を介してしか見えず、ロックのための手順がわかりにくいという問題があった。
【０００８】
そこで、この発明は、段ボール箱を一見して容易に理解できる手順でロックして、四重に折り畳んだ状態に維持できるようにすることを課題とする。
【課題を解決するための手段】
【０００９】
上記課題を解決するため、この発明では、長面の側板及び短面の側板を各一対交互に連設して周壁を形成し、各側板にそれぞれフラップを連設し、一方の長面の側板に繋がるフラップに折畳補助線を入れ、周壁の対角に位置する稜線に沿って二重に折り畳んだ後、折畳補助線を谷折線として四重に折り畳み、その状態をロック機構により維持する段ボール箱において、前記ロック機構として、四重の折畳時に外側となる長面のフラップに、折畳時の外端部を切り込んで、先端へかけて内側へ張り出す係合片を設け、これに重なる短面のフラップに、前記係合片と共に折り曲げる係合片又は前記係合片を折り曲げて通過させる切欠部を形成し、係合片の張出部を重なり合うフラップの側縁部に係合させるようにしたのである。
【００１０】
そして、前記係合片の張出部を、係合片の内側縁を傾斜させることにより、又は、係合片の内側縁を鉤状に屈曲させることにより形成したのである。
【００１１】
また、前記切欠部の端縁に、係合片の基部に重なる膨出部を設け、この膨出部により、係合片を折り曲げが戻る方向に押圧し、係合片の張出部を重なり合うフラップに押し付けるようにしたのである。
【００１２】
さらに、前記周壁のいずれの対角の稜線に沿って二重に折り畳んでも、四重に折り畳んだ状態でロックできるように、各一対の長面の側板及び短面の側板に繋がる上下のフラップに、二組のロック機構を設けたのである。
【発明の効果】
【００１３】
この折畳ロック付き段ボール箱では、四重に折り畳んだ状態でロックする際、折り曲げようとする係合片が全体的に見えており、これを折り曲げに伴い通過させる切欠部も見えているため、ロックする手順を一見して容易に理解することができる。
【００１４】
そして、係合片の張出部を重なり合うフラップの側縁部に係合させることにより、折畳状態が戻らないように確実にロックして、嵩張らない状態で廃棄することができる。
【図面の簡単な説明】
【００１５】
【図１】この発明の第１実施形態に係る折畳ロック付き段ボール箱を展開したブランクを示す図
【図２】同上の周壁組立時の状態を示す斜視図
【図３】同上の二重に折り畳んだ状態を示す斜視図
【図４】同上の四重に折り畳んだ状態を示す斜視図
【図５】この発明の第２実施形態に係る折畳ロック付き段ボール箱を展開したブランクを示す図
【図６】同上の周壁組立時の状態を示す斜視図
【図７】同上の二重に折り畳んだ状態を示す斜視図
【図８】同上の四重に折り畳んだ状態を示す斜視図
【図９】この発明の第３実施形態に係る折畳ロック付き段ボール箱を展開したブランクを示す図
【図１０】同上の周壁組立時の状態を示す斜視図
【図１１】同上の罫線II，IVで二重に折り畳んだ状態を示す斜視図
【図１２】同上の四重に折り畳んだ状態を示す斜視図
【図１３】同上の罫線I，IIIで二重に折り畳んだ状態を示す下方からの斜視図
【図１４】同上の四重に折り畳んだ状態を示す下方からの斜視図
【図１５】従来の折畳ロック付き段ボール箱を四重に折り畳んだ状態を示す斜視図
【発明を実施するための形態】
【００１６】
まず、この発明の第１実施形態を図１乃至図４に基づいて説明する。
【００１７】
図１に示すように、この段ボール箱のブランクでは、長面の側板１及び短面の側板２が各一対交互に連設され、一方の側板１の外側には継代片３が連設されている。側板１，２の上下端にはそれぞれフラップ４，５が連設され、一方の側板１の上下に繋がるフラップ４には、縦方向の折畳補助線６が切刃により入れられている。折畳補助線６の位置は、このフラップ４と隣り合うフラップ５との間の溝からフラップ５の幅だけ離れている。
【００１８】
折畳補助線６のない上側の長面のフラップ４には、折畳時に折畳補助線６から離れた位置となる外端部を切り込んで、先端へかけて内側へ張り出す係合片７が設けられ、この係合片７の張出部７ａは、係合片７の内側縁を傾斜させることにより形成されている。
【００１９】
係合片７の折曲時にヒンジとなる基端には、押罫による折目線７ｂが入れられ、係合片７の傾斜した内側縁の先端部には、製箱時の機械への引っ掛かり等を防止するため、繋部７ｃが設けられている。繋部７ｃは、係合片７を折り曲げる際、切断される。
【００２０】
この係合片７に隣り合う短面のフラップ５には、折畳ロック時に、折り曲げた係合片７を通過させる切欠部８が形成されている。切欠部８の端縁には、係合片７の基部に折目線７ｂより上方へ突出して重なる膨出部８ａが設けられている。
【００２１】
上記のようなブランクを箱に組み立てるには、図２に示すように、各一対の側板１，２を角筒状に折り曲げ、継代片３を反対側の側板２に貼り付けて周壁を形成する。そして、物品の梱包に際し、フラップ４，５により底面及び天面を封緘する。
【００２２】
一方、上記段ボール箱を解体して廃棄する際には、まず、天面及び底面の全てのフラップ４，５を開き、図３に示すように、周壁の対角に位置する稜線に沿って二重に折り畳んだ状態とする。このとき、一方のフラップ４の折畳補助線６が、他方のフラップ４，５間の溝に一致する。
【００２３】
次に、図４に示すように、折畳補助線６を谷折線として、段ボール箱を四重に折り畳むと、段ボール箱は、外側の隣り合うフラップ４，５の抵抗を受けることなく、所定の位置で折り曲げられ、コンパクトな状態となる。
【００２４】
その後、繋部７ｃの切断に伴い、係合片７を折目線７ｂを軸に折り曲げて、切欠部８を通過させ、係合片７の張出部７ａを重なり合うフラップ４，５の側縁部に係合させると、この係合により、段ボールの折り曲げによる反発が抑制され、段ボール箱を四重に折り畳んだ状態が維持される。
【００２５】
上記のような折畳ロック付き段ボール箱では、四重に折り畳んだ状態でロックする際、折り曲げようとする係合片７が全体的に見えており、これを折り曲げに伴い通過させる切欠部８も見えているため、ロックする手順を一見して容易に理解することができる。
【００２６】
そして、係合片７と切欠部８から成るロック機構において、係合片７の張出部７ａを重なり合うフラップ４，５の側縁部に係合させることにより、折畳状態が戻らないように確実にロックすることができ、廃棄に伴う一時保管や運搬に際し、嵩張ることがなく、取り扱いやすい状態となる。
【００２７】
また、このとき、膨出部８ａにより、係合片７は折り曲げが戻る方向に押圧され、係合片７の過度の折れ曲がりが抑制されて、係合片７の張出部７ａが重なり合うフラップ４，５に押し付けられるので、重なり合った側板１，２及びフラップ４，５が離反するように折畳状態が膨らむことがなく、扁平に保持される。
【００２８】
次に、この発明の第２実施形態を図５乃至図８に基づいて説明する。なお、この実施形態に係る段ボール箱の基本構成は、上記第１実施形態のものと共通であることから、ここでは、主として上記第１実施形態との相違点について言及する。
【００２９】
この段ボール箱は、厚手の複両面段ボールを材料とし、図５に示すようなブランクから形成される。この係合片７の張出部７ａは、係合片７の内側縁を鉤状に屈曲させることにより形成されている。
【００３０】
このようなブランクを、図６に示すように箱に組み立てて、物品の梱包に使用した後、解体して廃棄する際には、上記第１実施形態のものと同様、図７に示すように、周壁の対角に位置する稜線に沿って二重に折り畳んだ状態とし、図８に示すように、折畳補助線６に沿って段ボール箱を四重に折り畳む。
【００３１】
そして、係合片７を折目線７ｂを軸に折り曲げて、切欠部８を通過させ、係合片７の張出部７ａを重なり合うフラップ４，５の側縁部に係合させると、段ボールが厚手のものであっても、係合片７の内側縁の段差部分に重なり合ったフラップ４，５が噛み合い、段ボール箱を四重に折り畳んだ状態が確実に維持される。
【００３２】
次に、この発明の第３実施形態を図９乃至図１４に基づいて説明する。
【００３３】
図９に示すように、この段ボール箱のブランクでは、長面の側板１及び短面の側板２が各一対交互に連設され、一方の側板１の外側には継代片３が連設されている。この連設部の罫線は、周壁の稜線をなすものであり、継代片３側から順次罫線I，II，III，IVと称する。側板１，２の上下端にはそれぞれフラップ４，５が連設されている。
【００３４】
両側板１の上下に繋がるフラップ４には、縦方向の折畳補助線６が切刃により入れられている。折畳補助線６の位置は、罫線II，IIIに対応するフラップ４，５間の溝からフラップ５の幅だけ離れている。
【００３５】
罫線III，IVに挟まれた側板１に繋がる上側のフラップ４には、罫線IV側の端部を切り込んで係合片７が設けられ、罫線IVを一側とする側板２に繋がる上側のフラップ５には、上記第１及び第２実施形態の切欠部８に代えて、罫線IV側の端部を切り込んで係合片７が設けられている。
【００３６】
また、罫線I，IIに挟まれた側板１に繋がる下側のフラップ４及び罫線IVを一側とする側板２に繋がる下側のフラップ５にも、それぞれ罫線I側の端部及び罫線IVの反対側の端部を切り込んで係合片７が設けられている。
【００３７】
係合片７には、その内側縁をなす切込を鉤状に屈曲させて、張出部７ａが形成されている。係合片７の折曲時にヒンジとなる基端には、押罫による折目線７ｂが入れられ、係合片７の切込の先端部には、製箱時の機械への引っ掛かり等を防止するため、繋部７ｃが設けられている。繋部７ｃは、係合片７を折り曲げる際、切断される。
【００３８】
上記のようなブランクを箱に組み立てるには、図１０に示すように、各一対の側板１，２を罫線I，II，III，IVを稜線とする角筒状に折り曲げ、継代片３を反対側の側板２に貼り付けて周壁を形成する。そして、物品の梱包に際し、フラップ４，５により底面及び天面を封緘する。
【００３９】
一方、上記段ボール箱を解体して廃棄する際には、まず、天面及び底面の全てのフラップ４，５を開く。
【００４０】
そして、一つの場合として、図１１に示すように、周壁の一方の対角に位置する罫線II，IVに沿って二重に折り畳んだ状態とする。このとき、罫線I，IIに挟まれた側板１の上下に繋がるフラップ４の折畳補助線６が、罫線IIIに対応する溝に一致する。
【００４１】
次に、図１２に示すように、罫線IIIに対応する溝に一致した折畳補助線６を谷折線として、段ボール箱を四重に折り畳むと、段ボール箱は、外側の隣り合うフラップ４，５の抵抗を受けることなく、所定の位置で折り曲げられ、コンパクトな状態となる。
【００４２】
その後、上側で重なり合う係合片７を、繋部７ｃの切断に伴い、折目線７ｂを軸に折り曲げて、係合片７の張出部７ａを重なり合うフラップ４，５の側縁部に係合させると、この係合により、段ボールの折り曲げによる反発が抑制され、段ボール箱を四重に折り畳んだ状態が維持される。
【００４３】
また、他の場合として、図１３に示すように、周壁の一方の対角に位置する罫線I，IIIに沿って二重に折り畳んだ状態とする。このとき、罫線III，IVに挟まれた側板１の上下に繋がるフラップ４の折畳補助線６が、罫線IIに対応する溝に一致する。
【００４４】
次に、図１４に示すように、罫線IIに対応する溝に一致した折畳補助線６を谷折線として、段ボール箱を四重に折り畳むと、段ボール箱は、外側の隣り合うフラップ４，５の抵抗を受けることなく、所定の位置で折り曲げられ、コンパクトな状態となる。
【００４５】
その後、下側で重なり合う係合片７を、繋部７ｃの切断に伴い、折目線７ｂを軸に折り曲げて、係合片７の張出部７ａを重なり合うフラップ４，５の側縁部に係合させると、この係合により、段ボールの折り曲げによる反発が抑制され、段ボール箱を四重に折り畳んだ状態が維持される。
【００４６】
上記のような折畳ロック付き段ボール箱でも、四重に折り畳んだ状態でロックする際、折り曲げようとする係合片７が全体的に見えており、これを折り曲げに伴い通過させる切欠部８も見えているため、ロックする手順を一見して容易に理解することができる。
【００４７】
そして、重なり合う係合片７から成るロック機構において、係合片７の張出部７ａを重なり合うフラップ４，５の側縁部に係合させることにより、折畳状態が戻らないように確実にロックすることができ、廃棄に伴う一時保管や運搬に際し、嵩張ることがなく、取り扱いやすい状態となる。
【００４８】
特に、この実施形態に係る段ボール箱は、周壁のいずれの対角の稜線に沿って二重に折り畳んでも、四重に折り畳んだ状態でロックできるので、折り畳み始める際に、折り曲げる罫線を意識する必要がなく、容易に折り畳んでロックすることができる。
【００４９】
なお、上記第３実施形態では、係合片７の内側縁を鉤状に屈曲させることにより、張出部７ａを形成したものを例示したが、この実施形態においても、上記第１実施形態で示したように、係合片７の内側縁を傾斜させることにより、張出部７ａを形成してもよい。
【００５０】
また、フラップ５には、係合片７に代えて、上記第１及び第２実施形態と同様に、切欠部８を形成してもよい。
【００５１】
そのほか、上記各実施形態では、折畳補助線６として、切刃により入れたものを例示したが、折畳補助線６は、押罫としてもよい。また、上下のフラップ４に入れた折畳補助線６を繋ぐように、一方の側板１に押罫を入れてもよい。
【００５２】
また、係合片７の折目線７ｂがフラップ５の基端の折目線と平行なものを例示したが、折目線７ｂは、フラップ５の基端の折目線に対して傾斜していてもよく、この場合、切欠部８の端縁も折目線７ｂに応じて傾斜させればよい。
【００５３】
そのほか、各一対の側板１，２が四角筒状の周壁を形成するものを例示したが、コーナー部に面取り部を有する多角筒状の周壁を形成するものとしてもよい。
【００５４】
また、一般に粘着テープで封緘される溝切型段ボール箱を例示したが、ホットメルト接着剤により封緘されるラップラウンド型の段ボール箱等についても、同様の構成を採用することができる。
【符号の説明】
【００５５】
１，２  側板
３  継代片
４，５  フラップ
６  折畳補助線
７  係合片
７ａ  張出部
７ｂ  折目線
７ｃ  繋部
８  切欠部
８ａ  膨出部
I，II，III，IV  罫線
【図１】
0005613021.tif 000002
【図２】
0005613021.tif 000003
【図３】
0005613021.tif 000004
【図４】
0005613021.tif 000005
【図５】
0005613021.tif 000006
【図６】
0005613021.tif 000007
【図７】
0005613021.tif 000008
【図８】
0005613021.tif 000009
【図９】
0005613021.tif 000010
【図１０】
0005613021.tif 000011
【図１１】
0005613021.tif 000012
【図１２】
0005613021.tif 000013
【図１３】
0005613021.tif 000014
【図１４】
0005613021.tif 000015
【図１５】
0005613021.tif 000016